(57)【要約】【課題】転向車両の車体接近に先だって、車両の通過を待つ路上の歩行者等に対する確実な注意喚起を可能とする車両用転向方向表示装置を提供する。【解決手段】車両用転向方向表示装置は、走行車両の左右の転向方向を表示する転向方向表示手段と、この転向方向表示手段の表示操作のための左右のターンシグナルスイッチとから構成され、上記転向方向表示手段は、転向側の車体外側方の路面Ｓ上に所定のマークＭを投影表示しうる投影表示部材１、１１，２１により構成したものである。【選択図】図１
2008155767.tif 000002
【特許請求の範囲】
【請求項１】
走行車両の左右の転向方向を表示する転向方向表示手段と、この転向方向表示手段の表示操作のための左右のターンシグナルスイッチとからなる車両用転向方向表示装置において、上記転向方向表示手段は、転向側の車体外側方の路面（Ｓ）上に所定のマーク（Ｍ）を投影表示しうる投影表示部材（１、１１，２１）により構成してなることを特徴とする車両用転向方向表示装置。
【請求項２】
前記投影表示部材は、車両の転向舵角信号に応じて表示位置を変更する方向制御部（Ｄ）を備えてなることを特徴とする請求項１記載の車両用転向方向表示装置。
【請求項３】
前記投影表示部材は、車側（Ｂ５）に沿って直列状に投影表示する複数の位置に配置するとともに、それぞれの投影動作タイミングを車両の進行方向に順次移行することを特徴とする請求項１記載の車両用転向方向表示装置。
【発明の詳細な説明】
【技術分野】
【０００１】
本発明は、左右のターンシグナルスイッチの信号と対応して車両の転向方向を外部表示する車両用転向方向表示装置に関するものである。
【背景技術】
【０００２】
従来、スイッチやレバーの操作に応じて車両の転向方向を外部表示する車両用転向方向表示装置が知られている。上記車両用転向方向表示装置は、左右のターンシグナルスイッチと車体外周部に配置された外部表示灯とから構成され、車両が進路変更する際にその前後方向に位置する歩行者を含む他の交通手段に対して車両の転向動作をその外部表示によって報知することができる。
【発明の開示】
【発明が解決しようとする課題】
【０００３】
しかしながら、車両の前後方向の交通手段に対してその転向動作を報知するための従来の車両用転向方向表示装置では、転向車両の後輪による内輪差に基づく車体側方の危険範囲の判断に役にたたないので、転向車両の通過を待つ路上の歩行者や軽車両にとっては、例えば夜間や雨天等において自己の足元の路面状況に注意を払わざるを得ないことから、転向車両への注意力が削がれる場合があり、気付いた時には転向車両が至近に迫ることによって不測の事態を招くことがある。
【０００４】
解決しようとする問題点は、転向走行する車両の後輪による内輪差に基づく車体側方の危険範囲について、転向車両の車体接近に先だって、車両の通過を待つ路上の歩行者等に対して確実に注意を喚起するとともに、その危険範囲の判断を可能とする車両用転向方向表示装置を提供することにある。
【課題を解決するための手段】
【０００５】
請求項１に係る発明は、走行車両の左右の転向方向を表示する転向方向表示手段と、この転向方向表示手段の表示操作のための左右のターンシグナルスイッチとからなる車両用転向方向表示装置において、上記転向方向表示手段は、転向側の車体外側方の路面上に所定のマークを投影表示しうる投影表示部材により構成してなることを特徴とする。上記構成により、転向走行する車体の接近に先だって、歩行者等の視界内の足元の路面に所定のマークが表示される。
【０００６】
請求項２に係る発明は、請求項１の構成において、前記投影表示部材は、車両の転向舵角信号に応じて表示位置を変更する方向制御部を設けてなることを特徴とする。上記構成により、路面上のマーク投影位置が舵角と対応して変化する。
【０００７】
請求項３に係る発明は、請求項１の構成において、前記投影表示部材は、車側に沿って直列状に投影表示する複数の位置に配置するとともに、それぞれの投影動作タイミングを車両の進行方向に順次移行することを特徴とする。上記構成により、路面上のマーク投影表示に重畳して転向車両の移動の方向が同時に表示される。
【発明の効果】
【０００８】
請求項１の構成により、転向走行する車体の接近に先だって歩行者等の視界内の足元の路面に所定のマークが表示されるので、特に、歩行者等の注意が転向車両よりも足元に向いている夜間や雨天において、歩行者等の視界内で危険範囲を確実に報知することが可能となる。
【０００９】
請求項２の構成により、請求項１の効果と合わせ、車両の転向動作に応じた危険範囲が表示されるので、対応の要否を的確に判断することができる。
【００１０】
請求項３の構成により、請求項１の効果と合わせ、危険範囲の投影表示に重畳して転向車両の移動の方向が同時に表示されることから、危険範囲の動向に対応して直感的に待避するべき方向を判断することができる。
【発明を実施するための最良の形態】
【００１１】
上記技術思想に基づいて具体的に構成された実施の形態について以下に図面を参照しつつ説明する。
本発明に係る車両用転向方向表示装置は、走行車両の左右の転向方向を表示する転向方向表示手段と、この転向方向表示手段の表示操作のための左右のターンシグナルスイッチとから構成され、上記転向方向表示手段は、転向内側方の路面上に所定のマークを投影表示しうる投影表示部材により構成する。
【００１２】
投影表示部材は、その内部構成を図１に示すように、ビルトインタイプまたはランプボックス取付けタイプとして構成する。詳細には、ビルトインタイプの投影表示部材１は、同図（ａ）の縦断面図に示すように、筒状のハウジング２の奥側に拡散部組込のレーザー光源３を収容し、スリット板４またはシールを一体的に組み付けた投影レンズ５を開口側に取付けて構成する。上記スリット板４は、投影レンズ５によって路面に投影するべき矢印等の表示マーク形状の打ち抜き孔等を形成したものである。
【００１３】
ハウジング２には位置決め用のフランジ２ａを鍔状に形成し、このフランジ２ａの取付け面側に取付けねじ２ｂを形成する。取付けの際は、フランジ２ａに防水パッキン６ｂを介設した上で車体側の取付け板に形成した取付け孔にフランジ２ａまで挿入し、スプリングワッシャ６ａを介してナット６で締結する。
【００１４】
また、別のビルトインタイプの投影表示部材１１としては、同図（ｂ）の縦断面図に示すように、ランプルーム１２ａを一端に開口形成した棒状のランプハウジング１２によって構成され、その後部に小径の取付けねじ１２ｂを形成したものである。ランプルーム１２ａには、ハロゲンランプ等のランプ光源１３を収容し、このランプ光源１３に臨んで前記同様のスリット板１４と投影レンズ１５を開口部に取付ける。ランプルーム１２ａには必要に応じて集光用の反射鏡１６を設ける。
【００１５】
この投影表示部材１１の取付けは、ランプハウジング１２のランプルーム部と取付けねじ部１２ｂとの間に位置決め用の段差面１２ｃを形成し、この段差面１２ｃを固定位置として前記同様にスプリングワッシャ１７ａを介してナット１７で締結する。
【００１６】
一方、ランプボックス取付けタイプの投影表示部材２１は、同図（ｃ）の分解斜視図に示すように、ビス止め等によりランプボックスに取り付ける透過カバープレート２２の内方に投影レンズ２３とマーク表示用のスリット板２４とを配置し、図示せぬ既設のランプによって路面投影するように構成する。
【００１７】
上記投影表示部材の光学系の構成について説明すると、第１のビルトインタイプの投影表示部材１は、図２（ａ）の光学系構成図に示すように、投影レンズ５を２以上のレンズ体５ａ，５ｂの組合わせにより、その間にスリット板４またはシールを挟むようにして形成する。これらレンズ体５ａ，５ｂにレーザー光源３の拡散光を受けることにより路面にマークＭを投影表示する。マークＭの広がり角は、レンズ体５ａ，５ｂの数または厚さの組合せによって調整することができる。
【００１８】
第２のビルトインタイプの投影表示部材１１は、同図（ｂ）の光学系構成図に示すように、ランプ光源１３と反射鏡１６とによる射出光線の一部をスリット板１４で遮断し、投影レンズ１５で集光することにより路面にマークＭを投影表示する。投影レンズ１５の厚さによって焦点位置を路面に調整する。
【００１９】
また、上記ランプボック取付けスタイプの投影表示部材２１は、同図（ｃ）の光学系構成図に示すように、ランプ光源２１ａをスリット板２４で部分遮断し、投影レンズ２３で集光することにより路面にマークＭを投影表示する。前記同様に、投影レンズ２３の厚さによって焦点位置を路面に調整する。
【００２０】
上記投影表示部材を投影駆動することにより、投影表示部材１は、レーザー光源３からスリット板４によって部分的に遮光された光束が投影レンズ５によって投影面に達することにより、スリット板４の打ち抜き形状のマークＭを表示することができる。他の投影表示部材１１，２１についても同様である。
【００２１】
次に、投影表示部材の取付け方法について説明する。
ランプボックスＢ１に取付ける場合において、ビルトインタイプについては、図３の分解斜視図に示すように、ウィンカーランプ等を収容したランプボックスＢ１に取付け孔を車体外側部の前方下向きに形成し、投影表示部材１等に防水パッキン６ｂを取付けた上でそのねじ部２ｂをランプボックスＢ１の車体側取付け孔にフランジ２ａまで差し込み、背面側からスプリングワッシャ６ａを介してナット６で締結する。
【００２２】
ボックス取付けタイプの投影表示部材２１の取付けは、ランプボックスＢ１と対応して専用の投影レンズ２３およびスリット板２４を準備し、これら専用の投影レンズ２３およびスリット板２４を同ランプボックスＢ１に組込み、透過カバープレート２２を取付ける。
【００２３】
フェンダーミラーＢ２への取付け例では、図４の分解斜視図に示すように、その外側部路面に向かう取付け孔を形成し、前記同様に、投影表示部材１に防水パッキン６ｂを取付けた上でそのねじ部２ｂをフランジ２ａまで車体側の取付け孔に差し込み、内部からスプリングワッシャ６ａを介してナット６で締結する。必要により、フェンダーミラーＢ２のより前方または後方の外側部路面Ｓに向けて取付けることができる。
【００２４】
ドアミラーＢ３に取付ける場合については、図５の取付け例に示すように、３箇のビルトインタイプの投影表示部材１等を用いて車体前方用Ｌ１、車体側方用Ｌ２、車体後方用Ｌ３の光軸をそれぞれの向きに取付け、車体外側の突出を利用して車体側方の路面Ｓの３方向について設定した範囲Ｒ１〜Ｒ３にそれぞれマークＭを投影する。
【００２５】
バンパーＢ４に取付ける場合については、図６の取付け例に示すように、光軸Ｌを車体外側方の路面Ｓに向けて取付ける。また、大型車の側面部については、図７の取付け分解斜視図に示すように、側面フレームＢ５の下面位置等に硬質ゴム材等による取付けブラケットＡを介して外側方向下向きに取付ける。このように、ビルトインタイプは、ボックス取付けタイプと異なり、取付け位置、車種を問わず、取付けることができる。
【００２６】
このように投影表示部材を車体に取付けて投影駆動することにより、図８（ａ）の投影状態の平面図に示すように、それぞれの光束が路面に達してスリット板の打ち抜き形状のマークＭを路面に表示することができる。この場合において、レーザー光源による投影表示部材１は、赤色光等を通常のエネルギー出力範囲（ＪＩＳＣ６８０２）で、かつ、伏角４５度の範囲内で使用することにより、路面反射光による網膜障害等を招くことなく、直射日光下の路面に所定のマークＭを明確に投影表示することができる。他の投影表示部材１１，２１についても、高輝度のハロゲン光源等によってマークＭを路面表示することができる。
【００２７】
また、図８（ｂ）の作用断面図に示すように、車体Ｂに取付けた投影表示部材の光軸Ｌの方向を制御する投影角度制御装置Ｄを用いて角度θを調節することにより、路面Ｓ上の一定範囲Ｒについて投影位置を調節することができる。上記投影角度制御装置Ｄにより、ステアリングホイール３１の舵角に応じて後輪による内輪差に応じた範囲を投影表示することにより、舵角に応じた投影位置にマークＭが表示されるので、対応の要否を的確に判断することができる。
【００２８】
次に、車両用転向方向表示装置の車種別の適用について説明する。
普通車については、図９の適用例の斜視図（ａ、ｂ）に示すように、前部ランプボックスＢ１に投影表示部材を配置した場合は、舵角対応を含めてその斜め前方位置に、同様に、後部ランプボックスＢ１の場合はその斜め後方位置にマークＭが路面投影される。その他、前バンパーＢ４、後バンパーＢ４、フェンダー側面Ｂ６、ドアミラーＢ３等について同様に適用することができる。
【００２９】
大型車については、図１０の適用例の斜視図に示すように、前後のランプボックスＢ１、前後のバンパーＢ４、サイドミラーＢ７、車体側部Ｂ５について同様に適用することができる。特に、車体側部Ｂ５については、複数個の投影表示部材を配置し、ターンスイッチ信号により、対応する側の表示マークＭ１，Ｍ２，Ｍ３を後部から前部に順送りにタイミングをずらして作動させる制御処理を構成することにより、危険範囲の投影表示に重畳して転向車両の移動の方向が同時に表示されることから、危険範囲の動向に対応して待避するべき方向を判断することができる。
【００３０】
二輪自動車については、図１１の適用例の斜視図に示すように、前後のウィンカＢ８内に投影表示部材を一体的に構成し、また、サイドフレームＢ９について投影表示部材を適用することができる。
【００３１】
次に、車両用転向方向表示装置の制御構成について説明する。
投影表示部材は、オペレータのレバー操作やターンシグナルスイッチの左右のスイッチ信号により、走行車両の左右の転向方向を表示する転向方向表示手段として、他のウィンカーランプと同時に左右それぞれについて作動制御するように構成する。投影表示部材の表示動作は、連続表示を含め、必要に応じて点滅周期の設定を変更する。
【００３２】
また、前記投影表示部材は、図１２（ａ）の車両用転向方向表示装置の制御構成図に示すように、ステアリングホイール３１の舵角信号をＡ／Ｄ変換器３２、処理装置３３の信号処理系を通して投影角度制御装置Ｄによって投影表示部材の光軸方向を変化させることにより、ステアリングホイール３１の舵角に応じて、後輪による内輪差に応じた範囲を投影表示することができる。
【００３３】
大型車については、上記のほかに、図１２（ｂ）の制御構成図に示すように、その左右それぞれの側面部Ｂ５に複数の投影表示部材４１，４２，４３を取付けて複数のマークＭを直列状に投影表示し、これらの作動タイミングを制御する制御ユニット４４を介設することによりタイミング制御を行う。すなわち、ターンスイッチ信号により、対応する側の投影表示部材４１，４２，４３を後部から前部に順送りにタイミングをずらして作動させる制御処理を構成する。
【００３４】
上述の構成による車両用転向方向表示装置は、図１３の平面図に示すように、上記作動制御により、転向走行の際に車輪の走行軌跡Ｔより転向側（曲率中心側）に寄ってランプボックスＢ１等からマークＭを路面投影する。したがって、本発明の車両用転向方向表示装置は、車両が進路変更する際に、方向表示器の点滅と同時に車体の前方、側方、または後方の路面上に転向方向を示すマークを表示することができるので、歩行者を含む他の交通手段に対して車体の転向動作を確実に報知することができる。
【００３５】
このように、この路面投影されたマークＭの通過領域が転向車両Ｖの進行に先立って危険範囲として表示されるので、通行人Ｈは、マークＭの通過領域の境界線Ｆをその足元の視界内で直接的に認識して必要な対応をすることが可能となる。
【００３６】
具体的には、自転車、原付車を含む歩行者等は、横断するべき交差点において青信号で前進する際に必ず路面を見て動き始め、この時、不意に転向車両が至近まで迫ってきても、視界内において移動する路面のマーク表示により、その転向車両の後輪による内輪差の危険範囲を判断できるので、状況に応じた適切な対応をすることができる。
【００３７】
また、上記車両用転向方向表示装置は、車種に応じてそれぞれの態様により適用することができるので、特に、自己の足元の状況にも注意力を要する夜間や雨天の交差点において、転向車両による事故防止に役立てることができる。
【図面の簡単な説明】
【００３８】
【図１】投影表示部材の内部構成図である。
【図２】投影表示部材の光学系構成図である。
【図３】ランプボックスに取付ける場合の分解斜視図である。
【図４】フェンダーミラーに取付ける場合の分解斜視図である。
【図５】ドアミラー内設例である。
【図６】バンパー取付け例である。
【図７】大型車側面部取付けの分解斜視図である。
【図８】投影作動状態の平面図（ａ）および断面図（ｂ）である。
【図９】普通車の適用例の斜視図である。
【図１０】大型車の適用例の斜視図である。
【図１１】二輪自動車の適用例の斜視図である。
【図１２】車両用転向方向表示装置の制御構成図である。
【図１３】転向走行時の投影範囲の平面図である。
【符号の説明】
【００３９】
１    投影表示部材
２    ハウジング
３    レーザー光源
４    スリット板
５    投影レンズ
１１  投影表示部材
２１  投影表示部材
Ｂ、Ｂ１〜Ｂ９    車体
Ｆ    境界線
Ｈ    歩行者等
Ｌ、Ｌ１〜Ｌ３    光軸
Ｍ，Ｍ１〜Ｍ３    表示マーク
Ｓ    路面
Ｔ    走行軌跡
Ｖ    転向車両
【図１】
2008155767.tif 000003
【図２】
2008155767.tif 000004
【図３】
2008155767.tif 000005
【図４】
2008155767.tif 000006
【図５】
2008155767.tif 000007
【図６】
2008155767.tif 000008
【図７】
2008155767.tif 000009
【図８】
2008155767.tif 000010
【図９】
2008155767.tif 000011
【図１０】
2008155767.tif 000012
【図１１】
2008155767.tif 000013
【図１２】
2008155767.tif 000014
【図１３】
2008155767.tif 000015